(57)【要約】【課題】土木や建築の工事現場における生産性の向上を図る。【解決手段】表示板２は、ベース１０と、ベース１０に表示された図案２０と、を備える。表示板２は、ベース１０と、ベース１０の表面に表示された図案２０とを有する。ベース１０は、鉄製の板１１と、板１１を覆うアクリル樹脂のフィルム１２とを有する。図案２０は、工事現場に関する衛星画像２１と、工事現場における衛星写真の空撮画像２２と、工事現場における作業内容又は完成状態を表す設計画像２３と、を有する。衛星画像２１は、工事が決定される前に予め撮影されたものである。空撮画像２２は、工事が決定された後、工事開始前に撮影されたものである。ＣＡＤ画像２３は、いわゆるＣＡＤ等で表示された画像である。【選択図】図１
2018036839.tif 000002
【特許請求の範囲】
【請求項１】
表示部、制御部及び記憶部を備えるコンピュータに用いられ、前記記憶部に記憶されるコンテンツデータであって、
所定のエリアに関する第１画像を表す第１画像情報と、
前記エリアに関する第２画像を表す第２画像情報と、
前記第１画像情報に関連付けられた座標情報と前記第２画像情報に関連付けられた座標情報との共通部分において、前記制御部が、前記第１画像情報及び前記第２画像情報のいずれかを優先して前記表示部に表示させる優先表示処理に用いられる優先表示情報と、を備えたことを特徴とするコンテンツデータ。
【請求項２】
前記優先表示情報は、前記表示部にて前記第１画像情報を前記第２画像情報よりも優先表示させる第１優先条件と、前記表示部にて前記第２画像情報を前記第１画像情報よりも優先表示させた第２優先条件とを有し、
前記制御部は、操作部からの要求に従い、前記表示部において、前記優先表示情報に基づき前記第１優先条件及び前記第２優先条件の表示の切り替えが可能なことを特徴とする請求項１記載のコンテンツデータ。
【請求項３】
前記第２画像情報は衛星写真画像を表すものであり、
前記第１画像情報は前記第２画像よりも撮影時期が新しい空撮画像を表すものであることを特徴とする請求項１または２記載のコンテンツデータ。
【請求項４】
ベースと、
ベースに表示された図案と、を備え、
前記図案は、
所定のエリアの空撮画像を表す第１画像と、
前記空撮画像よりも前に撮影され前記エリアの衛星画像を表す第２画像と、
前記エリアにおいて予定される作業内容を表す第３画像と、を有し、
前記第１画像、前記第２画像及び前記第３画像のうち少なくとも２つの画像の共通部分においては、前記第３画像、前記第１画像及び前記第２画像の順に優先表示されることを特徴とする表示板。
【請求項５】
表示部、制御部及び記憶部を備えるコンピュータによって行われるコンテンツデータの生成方法であって、
前記制御部によって行われ、所定のエリアの空撮によって得られる第１画像情報を前記記憶部に記憶する記憶ステップと、
前記制御部によって行われ、前記エリアを表す第２画像を有する第２画像情報と前記第１画像情報とを座標情報に基づいて関連付ける関連付けステップと、
前記関連付けステップの後に前記制御部によって行われ、前記第１画像情報と前記第２画像情報との共通部分において、前記第１画像情報と前記第２画像情報のいずれかを優先して表示するかを表す優先表示情報を関連付ける優先情報ステップと、を備えることを特徴とするコンテンツデータの生成方法。
【請求項６】
前記記憶ステップの前に行われ、前記エリアの空撮を行い、前記第１画像情報を得る空撮ステップを備えることを特徴とする請求項５記載のコンテンツデータの生成方法。
【発明の詳細な説明】
【技術分野】
【０００１】
本発明は、コンテンツデータ、その生成方法、及び表示板に関する。
【背景技術】
【０００２】
昨今のＩＴ技術の著しい発達により、様々な分野においてＩＴ技術が導入されている。建築や土木の分野においては、ＩＣＴツールと３次元データモデルの導入活用により建設事業全体の生産性向上を図ろうとする取り組み（例えば、ＢＩＭやＣＩＭ）が知られている。例えば、特許文献１では、道路構造物の解析に必要なデータを容易に取得し、道路管理業務を軽減する方法として、サーバが操作端末より、位置を示す情報を受信した場合には、サーバが、当該位置を示す情報に対応付けられた構造物のデータを端末に送信する構造物情報提供システムが知られている。
【先行技術文献】
【特許文献】
【０００３】
【特許文献１】特開２０１６−１４２６６２号公報
【発明の概要】
【発明が解決しようとする課題】
【０００４】
ところで、土木や建築の作業現場においては、作業現場の現状、そこで予定されている作業内容や完成状態が可視化されていない。このため、現場監督や作業員が共通の完成イメージをもって作業することが困難であり、結果として生産性が悪いものとなっている。
【０００５】
本発明は、斯かる実情に鑑み、土木や建築の工事現場における生産性の向上を図るコンテンツデータ、その生成方法及び表示板を提供しようとするものである。
【課題を解決するための手段】
【０００６】
本発明は、表示部、制御部及び記憶部を備えるコンピュータに用いられ、前記記憶部に記憶されるコンテンツデータであって、所定のエリアに関する第１画像を表す第１画像情報と、前記エリアに関する第２画像を表す第２画像情報と、前記第１画像情報に関連付けられた座標情報と前記第２画像情報に関連付けられた座標情報との共通部分において、前記制御部が、前記第１画像情報及び前記第２画像情報のいずれかを優先して前記表示部に表示させる優先表示処理に用いられる優先表示情報と、を備えたことを特徴とする。
【０００７】
前記優先表示情報は、前記表示部にて前記第１画像情報を前記第２画像情報よりも優先表示させる第１優先条件と、前記表示部にて前記第２画像情報を前記第１画像情報よりも優先表示させた第２優先条件とを有し、前記制御部は、操作部からの要求に従い、前記表示部において、前記優先表示情報に基づき前記第１優先条件及び前記第２優先条件の表示の切り替えが可能なことが好ましい。
【０００８】
前記第２画像情報は衛星写真画像を表すものであり、前記第１画像情報は前記第２画像よりも撮影時期が新しい空撮画像を表すものであることが好ましい。
【０００９】
本発明の表示板は、ベースと、ベースに表示された図案と、を備え、前記図案は、所定のエリアの空撮画像を表す第１画像と、前記空撮画像よりも前に撮影され前記エリアの衛星画像を表す第２画像と、前記エリアにおいて予定される作業内容を表す第３画像と、を有し、前記第１画像、前記第２画像及び前記第３画像のうち少なくとも２つの画像の共通部分においては、前記第３画像、前記第１画像及び前記第２画像の順に優先表示されることを特徴とする。
【００１０】
本発明は、表示部、制御部及び記憶部を備えるコンピュータによって行われるコンテンツデータの生成方法であって、前記制御部によって行われ、所定のエリアの空撮によって得られる第１画像情報を前記記憶部に記憶する記憶ステップと、前記制御部によって行われ、前記エリアを表す第２画像を有する第２画像情報と前記第１画像情報とを座標情報に基づいて関連付ける関連付けステップと、前記関連付けステップの後に前記制御部によって行われ、前記第１画像情報と前記第２画像情報との共通部分において、前記第１画像情報と前記第２画像情報のいずれかを優先して表示するかを表す優先表示情報を関連付ける優先情報ステップと、を備えることを特徴とする。
【００１１】
前記記憶ステップの前に行われ、前記エリアの空撮を行い、前記第１画像情報を得る空撮ステップを備えることが好ましい。
【発明の効果】
【００１２】
本発明によれば、土木や建築の工事現場における生産性の向上を図ることができる。
【図面の簡単な説明】
【００１３】
【図１】（Ａ）は、表示板の概要を示す正面図である。（Ｂ）は、表示板の概要を示す側面図である。
【図２】表示板製造システムの概要を示すシステム構成図である。
【図３】表示板の製造方法の概要を示すフロー図である。
【発明を実施するための形態】
【００１４】
図１に示すように、表示板２は、ベース１０と、ベース１０の表面に表示された図案２０とを有する。ベース１０は、金属製（例えば、鉄等）の板１１と、板１１を覆うアクリル樹脂のフィルム１２とを有する。なお、図案２０の上から、フッ素樹脂のコーティングをしてもよい。このような表示板２は、磁石が付着可能であることが好ましい。また、表示板２は所定の塗料よる文字の書き込みや、塗料の除去による消し込みが可能であることが好ましい。
【００１５】
図案２０は、工事現場及びその周辺のエリアに対応する衛星写真の画像（以下、衛星画像）２１と、工事現場のエリアに対応する空撮画像２２と、工事現場における作業内容又は完成状態を表す設計画像２３と、を有する。衛星画像２１は、工事が決定される前に予め撮影されたものである。空撮画像２２は、工事が決定された後（例えば、工事開始前や工事の途中）に撮影されたものである。ＣＡＤ画像２３は、いわゆるＣＡＤ等で表示された画像であり、工事における設計内容、工事名称、縮尺、方位記号等が反映されたものである。
【００１６】
次に、表示板２の製造方法について説明する。
【００１７】
図２に示すように、表示板製造システム５０は、表示板２の製造にも利用可能なものであり、各種データの記憶や各端末からの要求に応えるサーバ５３と、サーバ５３に対し各種の要求を行う操作端末５４と、空撮画像２２を生成するための空撮装置５５と、各部５３〜５５を繋ぐ通信回線５８とを備える。
【００１８】
通信回線５８は、無線通信回線及び有線回線のいずれも含むものである。
【００１９】
空撮装置５５は、ドローン５５Ｄと、ドローン５５Ｄに搭載されたカメラ５５Ｃと、ドローン５５Ｄに搭載されたコンピュータ５５Ａと、を備える。ドローン５５Ｄの操縦操作、カメラ５５Ｃの撮影操作や、データの送受信操作は、操作端末５４から、サーバ５３を介して行われる。なお、ドローン５５Ｄの代わりに、遠隔操縦が可能な航空機やヘリコプターを用いてもよい。
【００２０】
サーバ５３、操作端末５４及び空撮装置５５に搭載されたコンピュータは、それぞれ、ＣＰＵと、記憶装置と、入力装置と、出力装置と、入出力インターフェースと、バスと、を備える。記憶装置は、メモリ群と、外部記憶装置とを備える。
【００２１】
ＣＰＵは、いわゆる中央演算処理装置であり、各種プログラムが実行されてデータ授受に関する各種サービスを実現する。メモリ群は、ＲＡＭ（ランダム・アクセス・メモリ）と、ＲＯＭ（リード・オンリー・メモリ）と、を備える。メモリ群は、ＣＰＵで実行される基本ＯＳやデータ授受サービスに関するサーバ用プログラム等を記憶する。また、メモリ群は、ＣＰＵで実行される基本ＯＳやデータ授受サービスに関するクライアント用プログラムを記憶する。外部記憶装置は、各種プログラムの演算結果などを記憶するものであり、内蔵型の記憶装置（例えば、ハードディスクドライブ）、着脱可能な記憶装置（例えば、メモリーカード等）がある。なお、外部記憶装置としては、ＮＡＳ（ネットワークアタッチストレージ）のように、通信回線５８経由で接続されるものでもよい。
【００２２】
入力装置は、入力キー、キーボードやマウス等であり、ＣＰＵへの演算命令など各種情報を入力するためのものである。出力装置は、ユーザに対し所定の情報を通知するディスプレイであり、ＣＰＵの演算結果等、各種動作状態を表示する。なお、出力装置は、ユーザに対し所定の通知音や音声を出力可能なスピーカ等であってもよい。入出力インターフェースは、それぞれ受信装置と送信装置（いずれも図示しない）を備え、通信回線５８とにおける通信を可能にするものである。バスは、各部を一体的に接続して通信を行う配線となる。
【００２３】
サーバ５３、操作端末５４及び空撮装置５５に搭載されたコンピュータ５５Ａにおいて、メモリ群に記憶された基本ＯＳや各種プログラムが対応するＣＰＵによって実行されると、空撮装置５５に搭載されたコンピュータは、ドローン５５Ｄの操作を行う操作部と、カメラを用いた撮影部と、撮影画像（空撮画像）を記憶する記憶部と、サーバ５３とのデータの送受信等を行うインターフェース部と、各部を制御する制御部として機能し、サーバ５３は、撮影画像を記憶する記憶部と、複数の撮影画像を合成して１つの合成画像をつくる合成部と、空撮装置５５や操作端末５４に対する入出力を行うインターフェース部と、各部を制御する制御部として機能し、操作端末５４は、サーバ５３に対する要求を行う要求部と、サーバ５３からの応答を出力する出力部と、各部を制御する制御部として機能する。
【００２４】
図３に示すように、表示板の製造方法１００は、空撮ステップ１１０と、オルソ画像生成ステップ１２０と、合成ステップ１３０と、印刷ステップ１４０と、を備える。
【００２５】
（空撮ステップ）
空撮ステップ１１０では、コンピュータ５５Ａが、ドローン５５Ｄ及びカメラ５５Ｃを用いて、所定の範囲における空撮を行う。空撮が行われる範囲は、工事が行われる範囲の他、工事に利用する道路や水源等が含まれるように設定されることが好ましい。ドローン５５Ｄは、制御部の制御の下、空撮の範囲にて計画された航路に従って飛行する。ドローン５５Ｄに搭載されたカメラ５５Ｃは、制御部の制御の下、連続的に撮影を行われる。この撮影により、制御部は、撮影時間情報や撮影座標情報が関連付けられた空撮画像情報を生成する。その後、制御部は、コンピュータ５５Ａまたはサーバ５３の記憶部に記憶する。
【００２６】
空撮画像情報は、空撮画像を表す情報である。空撮画像情報には、空撮を行った撮影時間や、空撮が行われた位置を表す座標情報（Ｘ座標及びＹ座標）が関連付けられている。ここで、Ｘ座標及びＹ座標は、それぞれ１つの水平面をつくるＸ軸及びＹ軸の座標である。
【００２７】
（オルソ画像生成ステップ）
オルソ画像生成ステップ１２０では、サーバ５３または操作端末５４の制御部が、合成部を介して、空撮ステップ１１０で得られた多数の空撮画像情報を記憶部から読み込み、撮影座標情報に基づいて重ね合わせて１つの空撮画像情報（オルソ画像情報）を生成する。制御部は、生成された１つのオルソ画像情報を記憶部に記憶する。
【００２８】
オルソ画像情報は、空撮画像を表す情報である。オルソ画像情報には、前述の空撮画像情報と同様に、空撮を行った撮影時間や、空撮が行われた位置を表す座標情報（Ｘ座標及びＹ座標）が関連付けられている。
【００２９】
（合成ステップ）
合成ステップ１３０では、サーバ５３または操作端末５４の制御部が、衛星画像情報をサーバ５３の記憶部から読み込む。この衛星画像情報は、予め撮影された衛星写真の画像を表すものであり、予め座標情報が関連付けられている。
【００３０】
その後、制御部は、合成ステップ１３０において、合成部を介して、第１縮尺調整ステップと第１優先表示ステップと第１合成ステップとを順次行う。第１縮尺調整ステップでは、制御部が、衛星画像情報とオルソ画像情報とを比較して両者の縮尺を一致させる。第１優先表示ステップでは、制御部が、衛星画像情報と空撮画像情報とを両者の座標情報に基づいて重ね合わせ、重複部分について第１優先表示情報を関連付ける。第１合成ステップは、制御部が、両者の座標情報に基づいて、衛星画像情報とオルソ画像情報との合成画像（第１合成画像）を生成する。
【００３１】
その後、制御部は、合成ステップ１３０において、第１合成画像を表す第１合成画像情報をサーバ５３の記憶部に記憶する第１記憶ステップを行う。
【００３２】
第１合成画像情報には、当該合成画像の位置を表す座標情報と第１優先表示情報が関連付けられている。第１優先表示情報は、２つの画像の重複部分についていずれの画像を優先表示するかが定義されたものである。制御部は、第１合成画像を表示部に表示する際、第１優先表示情報に基づき、衛星画像とオルソ画像の重複部分において優先表示を行う。したがって、第１合成画像を表示部に表示する場合、制御部は、第１優先表示情報が設定されていない座標に関しては、それぞれの画像を表示部に表示するとともに、第１優先表示情報が設定されている座標に関しては、次のようにして優先表示を行う。第１優先表示情報において衛星画像が設定されている場合には、衛星画像を優先表示する一方、優先表示情報においてオルソ画像が設定されている場合には、優先表示情報に基づきオルソ画像を優先表示する。
【００３３】
第１優先表示情報においていずれの画像を優先表示されるかについては、Ｚ座標（高さ方向の位置）に基づいて、Ｚ座標が大きいほう（高い方）を優先表示してもよいし、Ｚ座標が小さいほう（低い方）を優先表示してもよい。また、新しい状態を表す方を優先表示してもよいし、古い状態を表す方を優先表示してもよい。
【００３４】
その後、この合成ステップ１３０では、サーバ５３または操作端末５４の制御部が、ＣＡＤ画像を表すＣＡＤ画像情報をサーバ５３の記憶部から読み込む。記憶部に記憶されたＣＡＤ画像情報には座標情報が関連付けられている。
【００３５】
その後、制御部は、合成ステップ１３０において、合成部を介して、第２縮尺調整ステップと第２優先表示ステップと第２合成ステップとを順次行う。第２縮尺調整ステップでは、制御部が、第１合成画像情報とＣＡＤ画像情報とを比較して両者の縮尺を一致させる。第２優先表示ステップでは、制御部が、第１合成画像情報とＣＡＤ画像情報とを両者の座標情報に基づいて重ね合わせ、重複部分について第２優先表示情報を関連付ける。第２合成ステップでは、制御部が、第１合成画像情報とＣＡＤ画像情報との合成画像（第２合成画像）を生成する。
【００３６】
その後、制御部は、合成ステップ１３０において、第２合成画像を表す第２合成画像情報をサーバ５３の記憶部に記憶する第２記憶ステップを行う。
【００３７】
第２優先表示情報においていずれの画像を優先表示されるかについては、Ｚ座標（高さ方向の位置）に基づいて、Ｚ座標が大きいほう（高い方）を優先表示してもよいし、Ｚ座標が小さいほう（低い方）を優先表示してもよい。また、新しい状態を表す方を優先表示してもよいし、古い状態を表す方を優先表示してもよい。
【００３８】
第２合成画像情報には、当該合成画像の位置を表す座標情報と第２優先表示情報が関連付けられている。第２優先表示情報は、２つの画像の重複部分についていずれの画像を優先表示するかが定義されたものである。制御部は、第２合成画像を表示部に表示する際、第２優先表示情報に基づき、第１合成画像とＣＡＤ画像の重複部分において優先表示を行う。したがって、第２合成画像を表示部に表示する場合、制御部は、第２優先表示情報が設定されていない座標に関しては、それぞれの画像を表示部に表示するとともに、第２優先表示情報が設定されている座標に関しては、次のようにして優先表示を行う。第２優先表示情報において第１合成画像が設定されている場合には、第１合成画像を優先表示する一方、優先表示情報においてＣＡＤ画像が設定されている場合には、第２優先表示情報に基づきＣＡＤ画像を優先表示する。
【００３９】
（印刷ステップ）
印刷ステップ１４０では、制御部が、プリンタ（図示省略）を用いて、合成ステップ１３０で得られた合成画像をベース１０（図１）に印刷する。これにより、ベース１０には図案２０が現れる。印刷ステップ１４０に用いられる印刷データは、ＣＡＤ画像情報と空撮画像情報と衛星画像情報との合成画像情報であるとともに、ＣＡＤ優先表示情報や空撮優先表示情報による優先表示が反映されたものである。このため、図１に示す表示板２を得ることができる。
【００４０】
なお、必要に応じて、印刷ステップ１４０の後に、フッ素樹脂のコーティングを行ってもよい。
【００４１】
衛星画像２１は、予め撮影されたものであり、通常工事開始よりも数年前も前の状態を表すものが多い。このため、衛星画像２１は、作業現場とのミスマッチが多く、「作業現場の見える化」が困難である。そこで、衛星画像２１のうち作業が行われる部分に関しては空撮画像２２を優先的に表示する。これにより、空撮画像２２は、衛星画像２１における作業現場との不整合を補うことができる。結果、作業現場の見える化」が可能となる。さらに、衛星画像２１及び空撮画像２２の合成写真の上に設計画像２３を優先表示させることにより、「作業現場の見える化」や「作業内容の見える化」が可能となる。
【００４２】
上記実施形態では、オルソ画像生成ステップ１２０において、空撮ステップ１１０で得られた多数の空撮画像情報を、撮影座標情報に基づいて重ね合わせて１つの空撮画像情報（オルソ画像情報）を生成したが、本発明はこれに限られない。例えば、異なる衛星写真情報同士を撮影座標情報に基づいて重ね合わせて１つの画像（オルソ画像情報）を生成してもよい。
【００４３】
尚、本発明は、上記した実施の形態に限定されるものではなく、本発明の要旨を逸脱しない範囲内において種々変更を加え得ることは勿論である。
【符号の説明】
【００４４】
２     表示板
１０   ベース
１１   板
１２   フィルム
２１   衛星画像
２２   空撮画像
２３   設計画像
５０   表示板製造システム
５３   サーバ
５４   操作端末
５５   空撮装置
５５Ａ コンピュータ
５５Ｃ カメラ
５５Ｄ ドローン
５８   通信回線
１００ 表示板の製造方法
１１０ 空撮ステップ
１２０ オルソ画像生成ステップ
１３０ 合成ステップ
１４０ 印刷ステップ
【図１】
2018036839.tif 000003
【図２】
2018036839.tif 000004
【図３】
2018036839.tif 000005